(57)【要約】【課題】  光ファイバの伝送損失を抑制するとともに光ファイバ心線の取り出し作業性にも優れた光ファイバケーブル及び光ファイバケーブルの製造方法を提供する。【解決手段】  ケーブルコア１５、引き裂き紐１１及びテンションメンバ９の外周に外被１３が設けられる。外被１３によって一括してケーブルコア１５、引き裂き紐１１及びテンションメンバ９が覆われる。ここで、コア部１４の外周に、押さえ巻き部材５が縦添え巻きされている。このため、縦添え巻きされた直後には、押さえ巻き部材５のラップ２１は、光ファイバケーブル１の軸方向に略まっすぐに形成される。これに対し、光ファイバケーブル１は、ケーブルコア１５は、コア部１４と押さえ巻き部材５とが一括して撚られている。このため、押さえ巻き部材５のラップ部２１が長手方向に対して螺旋状に配置される。【選択図】図１
2020112644.tif 000002
【特許請求の範囲】
【請求項１】
複数の光ファイバ心線からなるコア部と、前記コア部の外周に縦添え巻きされる押さえ巻き部材と、を有するケーブルコアと、
前記ケーブルコアの外部に配置されるテンションメンバと、
前記ケーブルコア及び前記テンションメンバの外周に設けられる外被と、
を具備し、
前記ケーブルコアは、前記コア部と前記押さえ巻き部材とが同一方向に略同一ピッチで撚られており、前記押さえ巻き部材のラップ部が長手方向に対して螺旋状に配置されることを特徴とする光ファイバケーブル。
【請求項２】
前記ケーブルコアの撚りピッチが２５０ｍｍ以上１２００ｍｍ以下であることを特徴とする請求項１記載の光ファイバケーブル。
【請求項３】
前記ケーブルコアの撚りピッチが３００ｍｍ以上１０００ｍｍ以下であることを特徴とする請求項１記載の光ファイバケーブル。
【請求項４】
前記光ファイバ心線は、間欠接着型光ファイバテープ心線であることを特徴とする請求項１から請求項３のいずれかに記載の光ファイバケーブル。
【請求項５】
前記押さえ巻き部材の外周に線状体が螺旋状に巻き付けられ、
前記ケーブルコアの撚り方向と、前記線状体の巻き付け方向が逆方向であることを特徴とする請求項１から請求項４のいずれかに記載の光ファイバケーブル。
【請求項６】
前記コア部は、複数の前記光ファイバ心線からなる光ファイバユニットが複数集合して形成され、
前記光ファイバユニット内の前記光ファイバ心線は、前記ケーブルコアの撚りピッチよりも小さなピッチで撚り合わせられていることを特徴とする請求項１から請求項５のいずれかに記載の光ファイバケーブル。
【請求項７】
複数の光ファイバ心線を集合してコア部を形成し、
前記コア部の外周に押さえ巻き部材を縦添え巻きで巻きつけ、
光ファイバケーブルの進行方向を回転軸として、巻取り側を回転させることで、前記コア部と前記押さえ巻き部材とを一括して撚りながら巻き取ることを特徴とするケーブルコアの製造方法。
【発明の詳細な説明】
【技術分野】
【０００１】
本発明は、複数の光ファイバ心線が収容される光ファイバケーブル及びそのケーブルコアの製造方法に関するものである。
【背景技術】
【０００２】
近年の情報量の増加に伴い、１本の光ファイバケーブルにおける情報伝送量を増加するため、光ファイバケーブルに光ファイバを高密度に収納し、光ファイバの収納心数を増加させることが望まれている。これに対し、種々の光ファイバケーブルが提案されている。
【０００３】
このような光ファイバケーブルとしては、スロットを用いずに、複数の光ファイバユニットの外周に外被を設け、外被にテンションメンバを埋め込んだ光ファイバケーブルが提案されている（例えば特許文献１）。
【先行技術文献】
【特許文献】
【０００４】
【特許文献１】特開２０１６−２０６３５０号公報
【発明の概要】
【発明が解決しようとする課題】
【０００５】
スロットレスタイプの光ファイバケーブルは、硬質なスロットが用いられないため、内部の光ファイバ心線を保護するために、束ねられた光ファイバ心線（以下、単にコア部と称する）の外周に押さえ巻き部材が巻き付けられる。ここで、コア部の外周に押さえ巻き部材を巻き付ける方法としては、螺旋巻きと縦添え巻きが考えられるが、光ファイバケーブルでは、通常、縦添え巻きで押さえ巻き部材が巻き付けられる。これは、押さえ巻き部材が光ファイバ心線の外周に直接巻き付けられるため、押さえ巻き部材を螺旋状に巻き付けると、その張力によって光ファイバ心線が押さえつけられて、伝送損失の増大等の要因となるためである。
【０００６】
押さえ巻き部材を縦添え巻きする際には、完全にコア部を押さえ巻き部材で覆うために、一部にラップ部を形成し、押さえ巻き部材のラップ部が口を開かないように、外周に糸などの線状体が巻き付けられる。この際、線状体は、押さえ巻き部材の外周に螺旋状に巻き付けられるため、押さえ巻き部材のラップ部は、所定の間隔で線状体によって押さえられる。
【０００７】
しかし、線状体で押さえられていない部分は、押さえ巻き部材の復元力によって口が開きやすく、内部のコア部が露出する恐れがある。これに対し、線状体の巻き付けピッチを短くしたのでは、製造時の線速を下げる必要があり、製造性が悪化する。
【０００８】
また、ラップ部のラップ代を大きくとることで、コア部の露出は防ぐことができても、ラップ部の浮き上がりがあると、外被を被せるための口金を通過させる際に引っかかる恐れがある。このため、口金を必要以上に大きくし、ケーブルを太くするする必要があった。また、ラップ部を大きくすることで、押さえ巻き部材の使用量が増加してコスト増の要因となり、さらに、内部の光ファイバ心線の取り出し作業も困難となるという問題がある。
【０００９】
本発明は、このような問題に鑑みてなされたもので、光ファイバの伝送損失を抑制するとともに光ファイバ心線の取り出し作業性にも優れた光ファイバケーブル及び光ファイバケーブルの製造方法を提供することを目的とする。
【課題を解決するための手段】
【００１０】
前述した目的を達するために第１の発明は、複数の光ファイバ心線からなるコア部と、前記コア部の外周に縦添え巻きされる押さえ巻き部材と、を有するケーブルコアと、前記ケーブルコアの外部に配置されるテンションメンバと、前記ケーブルコア及び前記テンションメンバの外周に設けられる外被と、を具備し、前記ケーブルコアは、前記コア部と前記押さえ巻き部材とが同一方向に略同一ピッチで撚られており、前記押さえ巻き部材のラップ部が長手方向に対して螺旋状に配置されることを特徴とする光ファイバケーブルである。
【００１１】
前記ケーブルコアの撚りピッチが２５０ｍｍ以上１２００ｍｍ以下であることが望ましく、さらに、前記ケーブルコアの撚りピッチが３００ｍｍ以上１０００ｍｍ以下であることがより望ましい。
【００１２】
前記光ファイバ心線は、間欠接着型光ファイバテープ心線であってもよい。
【００１３】
前記押さえ巻き部材の外周に線状体が螺旋状に巻き付けられ、前記ケーブルコアの撚り方向と、前記線状体の巻き付け方向が逆方向であってもよい。
【００１４】
前記コア部は、複数の前記光ファイバ心線からなる光ファイバユニットが複数集合して形成され、前記光ファイバユニット内の前記光ファイバ心線は、前記ケーブルコアの撚りピッチよりも小さなピッチで撚り合わせられていてもよい。
【００１５】
第１の発明によれば、押さえ巻き部材が縦添え巻きされたケーブルコアが、内部のコア部と一括して撚られているため、押さえ巻き部材のラップ部が長手方向に対して螺旋状に配置される。このため、ラップ部の口開きを抑制することができる。この際、押さえ巻き部材を螺旋状に巻き付けるのではないため、押さえ巻き部材の巻き付け時に、内部の光ファイバ心線を強く締め付けることがない。
【００１６】
例えば、光ファイバケーブルの内部から光ファイバ心線を取り出す際に、外被を引き裂いても、押さえ巻き部材の口開きが抑制されるため、内部の光ファイバ心線が意図せずに飛び出すことを抑制することができる。また、ラップ部を大きくする必要がないため、押さえ巻き部材の使用量を削減することができるとともに、製造時に、外被の押し出し用の口金に引っかかることがなく、製造性にも優れる。
【００１７】
一方、ラップ部が螺旋状のままでは、ラップ部を開いて内部の光ファイバ心線を取り出す作業がやりにくくなるが、本発明では、内部のコア部と押さえ巻き部材とが一括して同じピッチで撚られているため、作業部分の所定範囲の撚りを戻してラップ部をまっすぐに戻すのが容易である。このため、ラップ部を開いて内部の光ファイバ心線を容易に取り出すことができる。
【００１８】
特に、ケーブルコアの撚りピッチが２５０ｍｍ以上１２００ｍｍ以下であれば、上記の効果を確保しつつ、内部の光ファイバ心線の伝送損失を抑制することができ、さらに、ケーブルコアの撚りピッチが３００ｍｍ以上１０００ｍｍ以下であれば、より効果的である。
【００１９】
また、内部の光ファイバ心線が間欠接着型光ファイバテープ心線であれば、光ファイバ心線の取り扱いが容易である。
【００２０】
また、ケーブルコアの撚り方向とは逆方向に、押さえ巻き部材の外周に線状体を螺旋状に巻き付けることで、押さえ巻き部材の口開きをより確実に抑制することができる。
【００２１】
また、コア部が、複数の光ファイバ心線からなる光ファイバユニットが複数集合して形成される場合には、光ファイバユニットの集合体と押さえ巻き部材とが一括して撚られればよいため、光ファイバユニット同士を撚り合わせる必要がない。このため、光ファイバユニット同士を集合する際に、複数の光ファイバユニットの供給ボビン自体の供給位置を回転させて撚り合わせながら集合する必要がない。したがって、光ファイバユニットの供給ボビンの設置位置を固定することができ、より大型のボビンを使用することも可能であり、製造効率を高めることができる。
【００２２】
なお、この場合には、光ファイバユニットを形成する際に、ファイバユニット内の光ファイバ心線を、ケーブルコアの撚りピッチよりも小さなピッチで撚り合わせてもよい。このようにすることで、光ファイバケーブルの曲げ時にも、伝送損失の増加を抑制することができる。
【００２３】
第２の発明は、複数の光ファイバ心線を集合してコア部を形成し、前記コア部の外周に押さえ巻き部材を縦添え巻きで巻きつけ、光ファイバケーブルの進行方向を回転軸として、巻取り側を回転させることで、前記コア部と前記押さえ巻き部材とを一括して撚りながら巻き取ることを特徴とするケーブルコアの製造方法である。
【００２４】
第２の発明によれば、押さえ巻き部材を縦添え巻きで巻き付けるため、内部の光ファイバ心線が強く締め付けられることがなく、また、ラップ部を螺旋状に形成することができるため、押さえ巻き部材のラップ部の口開きを抑制することができる。
【発明の効果】
【００２５】
本発明によれば、光ファイバの伝送損失を抑制するとともに光ファイバ心線の取り出し作業性にも優れた光ファイバケーブル及び光ファイバケーブルの製造方法を提供することができる。
【図面の簡単な説明】
【００２６】
【図１】光ファイバケーブル１を示す断面図。
【図２】間欠接着型光ファイバテープ心線を示す図。
【図３】光ファイバケーブル１を示す斜視図。
【図４】（ａ）は、図３のＡ−Ａ線断面図、（ｂ）は、図３のＢ−Ｂ線断面図、（ｃ）は、図３のＣ−Ｃ線断面図。
【図５】ケーブルコア製造装置３０を示す図。
【図６】（ａ）、（ｂ）は、押さえ巻き部材５を縦添え巻きする工程を示す図。
【図７】（ａ）〜（ｃ）は、ケーブルコア１５を撚り、線状体７を巻き付ける工程を示す図。
【発明を実施するための形態】
【００２７】
以下、図面を参照しながら、本発明の実施形態について説明する。図１は、光ファイバケーブル１を示す図である。光ファイバケーブル１は、スロットを用いないスロットレス型光ファイバケーブルであり、コア部１４、押さえ巻き部材５、線状体７、テンションメンバ９、引き裂き紐１１、外被１３等により構成される。
【００２８】
コア部１４は、複数の光ファイバ心線３からなる。より詳細には、複数の光ファイバ心線３が撚り合わせられて光ファイバユニット３ａが構成され、複数の光ファイバユニット３ａが集合してコア部１４が形成される。光ファイバユニット３ａは、例えばバンドル材などによって束ねられて、他の光ファイバユニット３ａと区別される。例えば、図示した例では、５つの光ファイバユニット３ａが集合した例について示す。
【００２９】
なお、光ファイバユニット３ａの本数は図示した例には限られない。また、複数の光ファイバ心線３は、光ファイバユニット３ａに区分されなくてもよい。以下の説明では、複数の光ファイバユニット３ａによってコア部１４が形成される例について説明する。
【００３０】
光ファイバ心線３は、単心の光ファイバ心線であってもよいが、複数の光ファイバ心線が併設された光ファイバテープ心線であることが望ましい。この場合には、隣り合う光ファイバ同士が長手方向に間欠的に接着された間欠接着型光ファイバテープ心線であることが望ましい。
【００３１】
図２は、間欠接着型光ファイバテープ心線である光ファイバ心線３を示す概略図である。光ファイバ心線３は、複数の光ファイバ素線１７が並列に接着されて構成される。なお、図示した例では、４本の光ファイバ素線１７により構成される例を示すが、本発明はこれに限られず、複数の光ファイバ素線１７からなる光ファイバ心線３であれば適用可能である。
【００３２】
隣り合う光ファイバ素線１７同士は、光ファイバ素線１７の長手方向に所定の間隔をあけて接着部材１９により間欠接着される。接着部材１９は、光ファイバ心線３の長手方向に対して千鳥状に配置される。すなわち、隣り合う光ファイバ素線１７同士の接合部は、光ファイバ心線３の長手方向に対して千鳥状に配置される。
【００３３】
コア部１４の外周には、押さえ巻き部材５が設けられる。押さえ巻き部材５は、縦添え巻きによって複数の光ファイバユニット３ａを一括して覆うように配置される。押さえ巻き部材５は、端部同士が重なるように巻き付けられ、ラップ部２１が形成される。なお、コア部１４の外周に押さえ巻き部材５が巻き付けられたものをケーブルコア１５とする。押さえ巻き部材５は、例えば樹脂テープや、吸水性不織布などが適用可能である。また、押さえ巻き部材５の外周には、線状体７（図中点線で示す）が螺旋状に巻き付けられる。なお、線状体７は、一本であってもよく、複数本であってもよい。
【００３４】
ケーブルコア１５の外部には、ケーブルコア１５を挟んで対向する位置に一対のテンションメンバ９が設けられる。テンションメンバ９は、例えば鋼線である。また、テンションメンバ９の対向方向と略直交する方向に、ケーブルコア１５を挟んで対向するように引き裂き紐１１が設けられる。
【００３５】
また、ケーブルコア１５、引き裂き紐１１及びテンションメンバ９の外周に外被１３が設けられる。外被１３は、光ファイバケーブル１を被覆して保護するための層である。外被１３によって一括してケーブルコア１５、引き裂き紐１１及びテンションメンバ９が覆われる。すなわち、テンションメンバ９及び引き裂き紐１１は、外被１３に埋設される。
【００３６】
ここで、前述したように、コア部１４の外周に、押さえ巻き部材５が縦添え巻きされている。このため、縦添え巻きされた直後には、押さえ巻き部材５のラップ部２１は、光ファイバケーブル１の軸方向に略まっすぐに形成される。一方、光ファイバケーブル１では、ケーブルコア１５は、押さえ巻き部材５が縦添え巻きされた後に、コア部１４と押さえ巻き部材５とが一括して撚られている。このため、コア部１４と押さえ巻き部材５とが同一方向に略同一ピッチで撚られており、押さえ巻き部材５のラップ部２１は、光ファイバケーブル１の長手方向に対して螺旋状に配置される。
【００３７】
図３は、光ファイバケーブル１の斜視図であり、図４（ａ）は、図３のＡ−Ａ線断面図、図４（ｂ）は、図３のＢ−Ｂ線断面図、図４（ｃ）は、図３のＣ−Ｃ線断面図である。なお、以下の図において、簡単のため、光ファイバ心線の図示を省略し、光ファイバユニット３ａの概形のみを図示する。また、図４（ａ）〜図４（ｃ）において、特定の光ファイバユニット３ａのみをハッチングして示す。
【００３８】
図４（ａ）〜図４（ｃ）に示すように、光ファイバケーブル１の軸方向に略まっすぐに配置されるテンションメンバ９の位置を基準とすると、ラップ部２１の配置が光ファイバケーブル１の長手方向の位置によって周方向に変化する。すなわち、押さえ巻き部材５のラップ部２１が光ファイバケーブル１の長手方向に対して螺旋状に配置される。この際、光ファイバユニット３ａの位置も、ラップ部２１と同様に、光ファイバケーブル１の長手方向に対して変化する。
【００３９】
コア部１４に押さえ巻き部材５が巻き付けられる際には、コア部１４は撚り合わせられずに、光ファイバユニット３ａが集合されているため、それぞれの光ファイバユニット３ａはまっすぐに配置される。このため、押さえ巻き部材５が巻き付けられた直後は、ラップ部２１も各光ファイバユニット３ａもまっすぐに配置される。押さえ巻き部材５が縦添え巻きされた後に、ケーブルコア１５を捻じることで、ラップ部２１の位置を光ファイバユニット３ａが同じように捻じられて、両者の相対的な位置は変わらずに、それぞれ光ファイバケーブル１の長手方向に対して螺旋状に配置される。
【００４０】
なお、前述したように、光ファイバユニット３ａの内部における光ファイバ心線３は、撚り合わせられてもよい。この場合には、光ファイバユニット３ａ内の光ファイバ心線３は、ケーブルコア１５の撚りピッチよりも小さなピッチで撚り合わせられていることが望ましい。すなわち、ケーブルコア１５の撚りピッチは、長ピッチとすることが望ましい。
【００４１】
ケーブルコア１５の撚りピッチ（捻じりピッチ）としては、例えば、２５０ｍｍ以上１２００ｍｍ以下であることが望ましく、さらに好適には、ケーブルコア１５の撚りピッチは３００ｍｍ以上１０００ｍｍ以下であることが望ましい。ケーブルコア１５の撚りピッチが短くなりすぎると、光ファイバ心線３が強く捻じられて伝送損失の増加を招く。一方、ケーブルコア１５の撚りピッチが長くなりすぎると、ケーブルコア１５を撚った効果を得ることができなくなる。
【００４２】
次に、ケーブルコア１５の製造方法について説明する。図５は、ケーブルコア製造装置３０を示す概略図である。まず、予め複数の光ファイバ心線３を撚り合わせてバンドル材を巻き付けて光ファイバユニット３ａを構成して、光ファイバユニット供給ボビン３１に巻き付けておく。複数の光ファイバユニット供給ボビン３１からは光ファイバユニット３ａが供給されて集合される。すなわち、複数の光ファイバ心線３を集合してコア部１４を形成する。この際、複数の光ファイバユニット３ａ同士は撚られずにまっすぐに集合されるため、光ファイバユニット供給ボビン３１は、設置位置が固定される。
【００４３】
コア部１４は、押さえ巻き部材５とともにフォーミング装置３３へ送られる。フォーミング装置３３では、複数の光ファイバユニット３ａ（コア部１４）を一括して覆うように、コア部１４の外周に押さえ巻き部材５が縦添え巻される。
図６（ａ）、図６（ｂ）は、コア部１４に対して押さえ巻き部材５を縦添え巻きする工程を示す概念図である。前述したように、コア部１４においては、光ファイバユニット３ａ同士は、長手方向にまっすぐに集合されており、縦添え巻き後の押さえ巻き部材５のラップ部２１も、長手方向にまっすぐに配置される。
【００４４】
図５に示すように、フォーミング装置３３を出たケーブルコア１５は、巻取りボビン３５によって巻き取られる。この際、巻取りボビン３５は、光ファイバケーブルの進行方向を回転軸として回転可能である（図中矢印Ｄ）。巻取り側の巻取りボビン３５を回転させながらケーブルコア１５を巻き取ることで、コア部１４と押さえ巻き部材５とを一括して撚りながら巻き取るができる。
【００４５】
図７（ａ）〜図７（ｃ）は、押さえ巻き部材５を縦添え巻きしてから、巻取りボビン３５で巻き取られるまでの工程の詳細を概念図である。図７（ａ）は、コア部１４の外周に押さえ巻き部材５が縦添え巻きされた直後の状態を示す図である。前述したように、縦添え巻き後の押さえ巻き部材５のラップ部２１は、長手方向にまっすぐに配置される。
【００４６】
この状態からケーブルコア１５を撚ると（図７（ａ）のＥ方向）、図７（ｂ）に示すように、コア部１４と押さえ巻き部材５が一括して撚られて、ラップ部２１が螺旋状に配置される。このように、ラップ部２１が螺旋状となることで、ラップ部２１が開いて、内部のコア部１４が露出することを抑制することができる。
【００４７】
この後、図７（ｃ）に示すように、必要に応じてケーブルコア１５の外周に線状体７を螺旋巻きして、ケーブルコア１５を巻取りボビン３５で巻き取る。以上により、コア部１４と押さえ巻き部材５とが一括して撚られ、押さえ巻き部材５のラップ部が長手方向に対して螺旋状に配置されたケーブルコア１５を得ることができる。
【００４８】
なお、線状体７を巻き付ける際には、ケーブルコア１５の撚り方向と、線状体７の螺旋巻き付け方向とが逆方向であることが望ましい。このようにすることで、ケーブルコア１５に対する線状体７の巻き付けピッチを変えることなく、効率よくラップ部２１を押さえることができる。
【００４９】
その後、巻取りボビン３５に巻き取られたケーブルコア１５を、テンションメンバ９と引き裂き紐１１とともに外被の押し出し機に供給して、ケーブルコア１５の外周に外被１３を押し出し被覆する。以上により、光ファイバケーブル１が製造される。
【００５０】
以上、本実施の形態の光ファイバケーブル１によれば、押さえ巻き部材５が縦添え巻きで巻き付けられるため、内部の光ファイバ心線３が過剰に締め付けられることがなく、伝送損失の増加を抑制することができる。また、ケーブルコア１５が撚られているため、例えば、分岐作業時に、外被１３を引き裂いて、線状体７を切断した際に、内部の光ファイバ心線３がラップ部２１から意図せずに飛び出すことを抑制することができる。
【００５１】
特に、ケーブルコア１５の撚りピッチを適正範囲に設定することで、伝送損失の増大を抑制し、より効果的に、コア部１４の露出等を抑制することができる。
【００５２】
また、ケーブルコア１５は、コア部１４と押さえ巻き部材５とが一括して撚られているため、外被１３等を割いた範囲において、ケーブルコア１５の撚りを容易に戻して、ラップ部２１を略まっすぐにすることができる。このため、内部の光ファイバ心線３を容易に取り出すことができる。
【００５３】
また、フォーミング装置３３の後方で、ケーブルコア１５の進行方向を回転軸として巻取りボビン３５を回転させることで、容易に、コア部１４と押さえ巻き部材５とを一括して撚ることができる。
【００５４】
なお、本発明は、図１に示す断面形状の光ファイバケーブル１には限定されず、断面構造が異なってもよい。例えば、支持線部を有する自己支持型の光ファイバケーブルであってもよい。
【実施例】
【００５５】
ケーブルコア１５の撚りピッチを変化させて、伝送損失と口開き（コア部１４の露出）について評価した。光ファイバケーブルとしては、図１に示す構造のものを用いた。
【００５６】
直径２５０ｕｍの光ファイバ心線８本を間欠的に接着し、８心の間欠接着型光ファイバテープ心線を作成し、それを１０本撚り合わせ、２ｍｍ幅のプラスチックテープを巻付けて８０心の光ファイバユニットを構成した。８０心の光ファイバユニットを５本サプライして集合させてコア部を形成し、コア部の外周に吸水性不織布製の押さえ巻き部材を供給してフォーミング治具で丸めて縦添え巻きし、さらに、ナイロン製の押え糸を巻付け、４００心のケーブルコアを作成した。なお、押さえ巻き部材のラップ部の幅は５ｍｍとした。
【００５７】
ケーブルコアは、ケーブルコアの流れる方向を回転軸として回転しながら巻き取ることが可能な取り機を使用して、巻取りボビンに巻き取った。巻取り機の巻取り速度と回転速度のバランスを変更する事で、ケーブルコアの撚りピッチを変更した。
【００５８】
こうして作成したケーブルコアと、Φ１．４ｍｍの鋼線を使用したテンションメンバと、外被を引き裂く引き裂き紐とを、外被の押し出し機に供給し、円筒状に外被を押し出し被覆して光ファイバケーブルを作成した。外被材はＬＬＤＰＥとした。それぞれのケーブルコアの撚りピッチに対して、押さえ巻き部材のラップ量や押え糸のピッチを変更して試作品を作成し、各種特性を確認した。結果を表１に示す。
【００５９】
【表１】
2020112644.tif 000003
【００６０】
表中、「伝送損失」は、波長１５５０ｎｍでの伝送損失であり、０．２５ｄＢ以下、０．３０ｄＢ以下のそれぞれについて、合格したものを「〇」とし、伝送損失が、それぞれ０．２５ｄＢ、０．３０ｄＢを超えたものを「×」とした。
【００６１】
「ラップ部からのコア部の露出」は、ラップ幅及び押さえ糸のピッチのそれぞれの条件において、外被を取り除いた際に、内部のコア部（光ファイバ心線）が外部に露出したものを「×」とし、コア部が露出しなかったものを「〇」とした。
【００６２】
「外被押出口金通過時の引っかかり」は、ラップ部が開いて浮き上がることで、外被を押し出す際に使用される口金にラップ部の押さえ巻き部材が引っ掛かったものを「×」とし、引っ掛かりがなかったものを「〇」とした。なお、評価は、口金の径を変えて行った。
【００６３】
Ｎｏ．１は、いずれの条件でも、ラップ部からのコア部の露出は見られず、外被押出口金への引っ掛かりも見られなかったが、ケーブルコアの撚りピッチが２００ｍｍと短いため、光ファイバ心線の伝送損失が増加し、０．３０ｄＢを超える伝送損失となった。これに対し、ケーブルコアの撚りピッチを２５０ｍｍとしたＮｏ．２は、光ファイバ心線の伝送損失が０．２５ｄＢは超えたものの、０．３０ｄＢ以下に抑えられた。
【００６４】
ケーブルコアの撚りピッチが３００ｍｍ〜１０００ｍｍのＮｏ．３〜Ｎｏ，４は、いずれも、ラップ部からのコア部の露出は見られず、外被押出口金への引っ掛かりも見られず、伝送損失も２．５０．２５ｄＢ以下を満足した。
【００６５】
ケーブルコアの撚りピッチが１２００ｍｍのＮｏ．５は、ラップ幅５ｍｍ、押え糸ピッチ３０ｍｍの条件と、ラップ幅１０ｍｍ、押え糸ピッチ５０ｍｍの条件においては、ラップ部からのコア部の露出は見られなかったが、ラップ幅５ｍｍ、押え糸ピッチ５０ｍｍの条件では、ラップ部からのコア部の露出は見られた。Ｎｏ．５は、ケーブルコアの撚りピッチが長く、ラップ部の口開きの抑制効果が比較的小さいため、ラップ幅が小さく、かつ、押さえ糸の巻き付けピッチが大きいと、口開きの抑制効果が十分ではない。しかし、ラップ幅を大きくするか、押さえ糸の巻き付けピッチを短くすれば、効果を得ることはできる。
【００６６】
ケーブルコアの撚りピッチが１４００ｍｍのＮｏ．６は、ラップ幅１０ｍｍ、押え糸ピッチ５０ｍｍの条件では、ラップ部からのコア部の露出は見られなかったが、ラップ幅５ｍｍ、押え糸ピッチ５０ｍｍの条件と、ラップ幅５ｍｍ、押え糸ピッチ３０ｍｍの条件では、ラップ部からのコア部の露出は見られた。Ｎｏ．６は、ケーブルコアの撚りピッチが長く、ラップ部の口開きの抑制効果が小さく、ラップ幅が小さく、かつ、押さえ糸の巻き付けピッチが大きいと、口開きの抑制効果は十分ではない。
【００６７】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例又は修正例に想到し得ることは明らかであり、それらについても当然に本発明の技術的範囲に属するものと了解される。
【符号の説明】
【００６８】
１………光ファイバケーブル
３………光ファイバ心線
３ａ………光ファイバユニット
５………押さえ巻き部材
７………線状体
９………テンションメンバ
１１………引き裂き紐
１３………外被
１４………コア部
１５………ケーブルコア
１７………光ファイバ素線
１９………接着部材
２１………ラップ部
３０………ケーブルコア製造装置
３１………光ファイバユニット供給ボビン
３３………フォーミング装置
３５………巻取りボビン
【図１】
2020112644.tif 000004
【図２】
2020112644.tif 000005
【図３】
2020112644.tif 000006
【図４】
2020112644.tif 000007
【図５】
2020112644.tif 000008
【図６】
2020112644.tif 000009
【図７】
2020112644.tif 000010